(57)【要約】      （修正有）【課題】ピッチキープコードの垂下位置に特に専用の固定板がなくても取り付け可能であり、しかも意匠性にすぐれ、部品点数も少ないピッチキープコードの取り付け構造を提供する。【解決手段】プリーツスクリーン１１の昇降コード３０の巻き取りドラムを回転可能に支持するフレーム９が、ヘッドレール１内に装着され、この巻き取りドラムを支持するフレーム９の底部に取り付け孔２１が形成されており、この取り付け孔２１は、フレーム９の長手方向に長い長孔として形成され、その一端には開口部が形成されており、開口部の開口幅は、ピッチキープコード２２の外径より小さく、ピッチキープコード２２は、取り付け孔２１を挿通した上端の部分に団子状に抜け止め用の結び部２３を形成する。【選択図】図１
0003168688.tif 000002
【実用新案登録請求の範囲】
【請求項１】
プリーツスクリーンの昇降コードの巻き取りドラムを回転可能に支持するフレームが、ヘッドレール内に装着されており、該巻き取りドラムを支持するフレームにピッチキープコードを取り付ける構成であることを特徴とするプリーツスクリーンにおけるピッチキープコードの取り付け構造。
【請求項２】
プリーツスクリーンの昇降コードの巻き取りドラムを回転可能に支持するフレームが、ヘッドレール内に装着されており、該巻き取りドラムを支持するフレームにピッチキープコードを取り付けるプリーツスクリーンにおけるピッチキープコードの取り付け構造であって、
巻き取りドラムを支持するフレームの底部に取り付け孔が形成されており、ピッチキープコードは、取り付け孔を挿通した上端の部分に団子状に抜け止め用の結び部を形成して成ることを特徴とするプリーツスクリーンにおけるピッチキープコードの取り付け構造。
【請求項３】
前記取り付け孔は、フレームの長手方向に長い長孔として形成されており、その一端には開口部が形成されており、該開口部の開口幅は、ピッチキープコードの外径より小さい構成であることを特徴とする請求項２に記載のプリーツスクリーンにおけるピッチキープコードの取り付け構造。
【請求項４】
前記取り付け孔は、フレームの底部に設けられた窪み部に形成されており、該窪み部内にピッチキープコードの抜け止め用の結び部の一部又は全部が収まることを特徴とする請求項２又３に記載のピッチキープコードの取り付け構造。
【請求項５】
フレームの底部の下方には、接着プレートが装着されており、該接着プレートには、ピッチキープコードを挿通する挿通孔が形成されていることを特徴とする請求項２、３又は４に記載のピッチキープコードの取り付け構造。
【考案の詳細な説明】
【技術分野】
【０００１】
本考案は、プリーツスクリーンにおいて、スクリーンのピッチを保持するピッチキープコードの上端を、巻き取りドラムを支持するフレームに取り付ける取り付け構造に関する。
【背景技術】
【０００２】
従来、プリーツスクリーンにおいて、プリーツスクリーンの折り目の間隔であるピッチを保持するピッチキープコードを、巻き取りドラムで巻き取り巻き戻しされる昇降コードの近傍において、ヘッドレールからボトムレールの間、或いはヘッドレールから中間レールの間に張設する構成は知られている。
【０００３】
このようなピッチキープコードをヘッドレールに取り付ける取り付け構造として、ヘッドレールの背面に取り付け用ブッシュによって取り付ける取り付け構造が知られている（特許文献１参照）。
【０００４】
また、ピッチキープコードをヘッドレールに取り付ける別の取り付け構造として、ヘッドボックス（ヘッドレール）の底に取着され、カーテン部材の上端を固定する上部固定板に取り付ける構造が知られている（特許文献２参照）。
【先行技術文献】
【特許文献】
【０００５】
【特許文献１】特許第４４４１９２５号公報
【特許文献２】特許第３５２４７９８号公報
【考案の概要】
【考案が解決しようとする課題】
【０００６】
上記特許文献１に示すように、ピッチキープコードをヘッドレールの背面に取り付け用ブッシュによって取り付ける取り付け構造は、ヘッドレールの背面側においてピッチキープコードが露出するので、見栄えが悪く意匠性の観点から改善の余地がある。また、取り付け用ブッシュが必要であり、部品点数が多くなるという問題もある。
【０００７】
また、上記特許文献２に示すように、ヘッドボックスの底に取着される上部固定板に取り付ける構造は、ピッチキープコードの垂下位置に上部固定板が設けられているという構成を前提としているので、ピッチキープコードの垂下位置（通常は昇降コード近傍）に上部固定板が設けられていない構成では、ピッチキープコードを取り付けることができないという問題が生じる。
【０００８】
本考案は、上記従来の問題を解決することを目的とし、部品点数が少なく、意匠性の点でも改善されており、しかも、ピッチキープコードの垂下位置に特許文献２に示すような上部固定板がなくても取り付け可能なピッチキープコードの取り付け構造を実現する。
【課題を解決するための手段】
【０００９】
本考案は上記課題を解決するために、プリーツスクリーンの昇降コードの巻き取りドラムを回転可能に支持するフレームが、ヘッドレール内に装着されており、該巻き取りドラムを支持するフレームにピッチキープコードを取り付ける構成であることを特徴とするプリーツスクリーンにおけるピッチキープコードの取り付け構造を提供する。
【００１０】
本考案は上記課題を解決するために、プリーツスクリーンの昇降コードの巻き取りドラムを回転可能に支持するフレームが、ヘッドレール内に装着されており、該巻き取りドラムを支持するフレームにピッチキープコードを取り付けるプリーツスクリーンにおけるピッチキープコードの取り付け構造であって、巻き取りドラムを支持するフレームの底部に取り付け孔が形成されており、ピッチキープコードは、取り付け孔を挿通した上端の部分に団子状に抜け止め用の結び部を形成して成ることを特徴とするプリーツスクリーンにおけるピッチキープコードの取り付け構造を提供する。
【００１１】
前記取り付け孔は、フレームの長手方向に長い長孔として形成されており、その一端には開口部が形成されており、該開口部の開口幅は、ピッチキープコードの外径より小さい構成であることが好ましい。
【００１２】
前記取り付け孔は、フレームの底部に設けられた窪み部に形成されており、該窪み部内にピッチキープコードの抜け止め用の結び部の一部又は全部が収まることが好ましい。
【００１３】
フレームの底部の下方には、接着プレートが装着されており、該接着プレートには、ピッチキープコードを挿通する挿通孔が形成されていることが好ましい。
【考案の効果】
【００１４】
本考案によれば、昇降コードの巻き取りドラムを支持するフレームにピッチキープコードを取り付ける取り付け構造としたので、ピッチキープコードの垂下位置に、特に、ピッチキープコードを取り付けるための専用の固定板がなくても取り付け可能であり、しかも意匠性も改善されており、部品点数も少なくすることが可能となる。
【図面の簡単な説明】
【００１５】
【図１】本考案に係るプリーツスクリーンにおけるピッチキープコードの取り付け構造の実施例を説明する図であり、（ａ）はヘッドレールを含む全体構成を示し、（ｂ）は取り付け構造の要部を説明する図である。
【図２】本考案の実施例を説明する図であり、（ａ）は巻き取りドラム及びその支持フレームを下方から見た斜視図であり、（ｂ）はピッチキープコードの取り付け構造の要部を下方から見た斜視図であり、（ｃ）はピッチキープコードの取り付け構造の要部を上方から見た斜視図である。
【考案を実施するための形態】
【００１６】
本考案に係るプリーツスクリーンのピッチキープコードの取り付け構造を実施するための形態を実施例に基づき図面を参照して、以下説明する。本明細書における「前後」については、プリーツスクリーンの取り付けられる室内側が前方（前面側）であり、室外側が後方（背面側）とする。
【実施例１】
【００１７】
本考案に係るプリーツスクリーンのピッチキープコードの取り付け構造の実施例を、図１及び図２において説明する。図１に示すように、ヘッドレール１の前後壁２の内面下部には、それぞれ内方に規制部３及び支持部４が突設されている。ヘッドレール１の前後壁２の底部には、それぞれ内方に受け部５が突設されている。
【００１８】
図２（ａ）は、巻き取りドラム８を支持するフレーム９を下方から見た斜視図である。この巻き取りドラム８を支持するフレーム９は、ヘッドレール１の支持部４上に載置され、前後側面に突設された突起１０が規制部３で上方から規制されるようにして装着されている。
【００１９】
プリーツスクリーン１１の上端を取り付ける接着プレート１２は、後縁部１３が二股縁として形成されている。この後縁部１３の二股縁をヘッドレール１の受け部５に嵌合させ、さらに前縁部１４を受け部５に載置して、接着プレート１２がフレーム９に装着される。
【００２０】
巻き取りドラム８のフレーム９は、図２（ａ）〜（ｃ）に示すように、その底部１７の長手方向の一端部の幅方向ほぼ中央に、接着プレート１２を貫通し下方に伸びる管状の昇降コード案内孔１８が形成されている。
【００２１】
この昇降コード案内孔１８の前後にそれぞれ、下方に窪んだ窪み部１９が形成されており、その窪み部１９の底部２０を貫通して取り付け孔２１が形成されている。この窪み部１９の深さは、ピッチキープコード２２を団子状に結んだ抜け止め用の結び部２３の一部又は全部が収まる寸法に形成されている。
【００２２】
取り付け孔２１は、巻き取りドラム８のフレーム９の長手方向に長く、その一端は、巻き取りドラム８の長手方向中心に向けて開口している。この開口部２５に、その両側から凸湾曲状の一対の突出部２６が形成されており、その開口幅ｗが取り付け孔２１の幅より狭くなって括れ部（くびれ部）となっている。この開口幅３は、ピッチキープコード２２の外径より若干小さく形成されている。
【００２３】
巻き取りドラム８のフレーム９へピッチキープコード２２を取り付ける取り付け構造においては、ピッチキープコード２２を、一対の突出部２６間に挟んで圧縮するようにスライドさせて開口部２５を通過させ、その上端を団子状に結んで抜け止め用の結び部２３を形成し、取り付けている。なお、結び部２３は、ピッチキープコード２２の上端を結ぶのではなく、別途抜け止め用の部材（抜け止め玉等）を上端に、適宜、固定した構成としてもよい。
【００２４】
接着プレート１２には、取り付け孔２１の下方の位置に、挿通孔２７が上下方向に貫通するように形成されている。ピッチキープコード２２によって、プリーツスクリーン１１が所望の折り目の間隔（ピッチ）に保持されるように、挿通孔２７の前後方向の位置は設計される。
【００２５】
プリーツスクリーン１１は、その上端が接着プレート１２に接着して吊り下げられるが、このプリーツスクリーン１１は、昇降コード３０によって昇降される。昇降コード３０は、巻き取りドラム８から昇降コード案内孔１８で下方へ案内され、プリーツスクリーン１１に形成された通し孔３１を通って、ボトムレール又は中間レールまで垂れ下がって伸びている。
【００２６】
ピッチキープコード２２は、その上端部は巻き取りドラム８のフレーム９に取り付けられ吊持されており、図示しない中間レール又はボトムレールまで垂れ下がって伸びている。いる。また、ピッチキープコード２２には、上下方向に間隔をおいて複数の係止ループ３２が取り付けられており、この係止ループ３２に昇降コード３０を通過させるように構成されている。
【００２７】
ピッチキープコード２２の上端部を巻き取りドラム８へ取り付けるには、ピッチキープコード２２を、巻き取りドラム８のフレーム９において、一対の突出部２６間で圧縮させながら押し込むようにしてスライドさせて開口部２５を通過させ、取り付け孔２１に挿入し、その上端を団子状に結んで抜け止め用の結び部２３を形成する。
【００２８】
すると、団子状の抜け止め用の結び部２３が抜け止めとなって、ピッチキープコード２２は、下方に抜け落ちない。また、一対の突出部２６間の幅ｗはピッチキープコード２２の外径より若干小さいので、開口部２５からスライドして抜け落ちない。
【００２９】
そして、この団子状に結んで成る抜け止め用の結び部２３は、その一部又は全部が窪み部１９内に位置するので、その上方に位置する巻き取りドラム８又はその支持軸に抜け止め用の結び部２３が当接することがない。よって、巻き取りドラム８は、抜け止め用の結び部２３によって回転を邪魔されることなく、円滑に回転する。
【００３０】
以上のとおり、ピッチキープコード２２の上端部を巻き取りドラム８のフレーム９へ取り付ける取り付け構造は、巻き取りドラム８のフレーム９の底部１７に形成された取り付け孔２１内に開口部２５をスライドして挿入し、その上端に団子状の抜け止め用の結び部２３を形成すればよいので、きわめて簡単な構成であり、しかも取り付け作業も簡単にできる。
【００３１】
本考案によれば、ピッチキープコード２２の上端部を巻き取りドラム８のフレーム９ へ取り付けるから、特にピッチキープコード２２を固定するためにヘッドレールに取着するの固定板等なくても、ピッチキープコード２２の上端をヘッドレール１に対して固定することができる。
【００３２】
以上、本考案に係るプリーツスクリーンのピッチキープコードの取り付け構造を実施するための形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００３３】
本考案に係るプリーツスクリーンのピッチキープコードの取り付け構造は上記のような構成であるから、プリーツスクリーンのピッチを保持する必要のある一枚のプリーツスクリーンだけでなく、中間レールを挟んで上下にプリーツスクリーンを備えたもの、室内外に二重にプリーツスクリーンを備えたもの等、いろいろなタイプのプリーツスクリーンに適用可能である。
【符号の説明】
【００３４】
１  ヘッドレール                                           
２  ヘッドレールの前後壁                                   
３  ヘッドレールの規制部                                   
４  ヘッドレールの支持部                                   
５  ヘッドレールの受け部                                   
８  巻き取りドラム                                         
９  巻き取りドラムを支持するフレーム                               
１０  巻き取りドラムを支持するフレームの突起                                  
１１  プリーツスクリーン                                                 
１２  接着プレート                                                       
１３  接着プレートの後縁部                                               
１４  接着プレートの前縁部                                               
１７  巻き取りドラムを支持するフレームの底部                                  
１８  昇降コード案内孔                                                   
１９  窪み部                                                             
２０  窪み部の底部                                                       
２１  取り付け孔                                                         
２２  ピッチキープコード                                                 
２３  抜け止め用の結び部                                                      
２５  開口部                                                             
２６  突出部
２７  接着プレートの挿通孔                                                    
３０  昇降コード
３１  プリーツスクリーンにおけるピッチキープコードの通し孔                    
３２  係止ループ 
【図１】
0003168688.tif 000003
【図２】
0003168688.tif 000004